(57)【要約】      （修正有）【課題】ユーザーの虎口に比較的大きな力を受けることを有効に避けることができ、ユーザーの主な受力点を虎口から手首に変更することにより、ユーザーの使用後の虎口の痛みを効果的に回避させた加圧リストバンドを提供する。【解決手段】リストバンドの本体１と、リストバンドのロックバンド構造と、リストバンドのフックテープ２とを含む加圧リストバンドであって、本体は、バンドであり、本体の頂部には、貫通する親指口３が設けられ、本体の外部表面は、ループテープ材料を用いて作製され、ロックバンド構造は、本体の内部及び外部表面に取り付け、フックテープは、本体の一端に固定取り付けられ、本体の辺縁部には、第１の保護辺４が縫合されて設けられ、親指口の内部辺縁には、第２の保護辺５が縫合されて設けられ、ロックバンド構造は、一端が本体の内部に固定接続された補助バンド６と、ロックバックルとを含む。【選択図】図３
0003232906.tif 000002
【実用新案登録請求の範囲】
【請求項１】
リストバンドの本体（１）と、リストバンドのロックバンド構造と、リストバンドのフックテープ（２）とを含む加圧リストバンドであって、前記本体（１）は、バンドであり、前記本体（１）の頂部には、貫通する親指口（３）が設けられ、前記本体（１）の外部表面は、ループテープ材料を用いて作製され、前記ロックバンド構造は、前記本体（１）の内部及び外部表面に取り付け、前記フックテープ（２）は、前記本体（１）の一端に固定取り付けられる、ことを特徴とする加圧リストバンド。
【請求項２】
前記本体（１）の辺縁部には、第１の保護辺（４）が縫合されて設けられ、前記親指口（３）の内部辺縁には、第２の保護辺（５）が縫合されて設けられる、ことを特徴とする請求項１に記載の加圧リストバンド。
【請求項３】
前記ロックバンド構造は、一端が前記本体（１）の内部に固定接続され、他端が前記本体（１）の辺縁部に近接した位置に固定接続された補助バンド（６）と、前記本体（１）の外部表面に固定取り付けられたロックバックル（７）とを含み、前記補助バンド（６）は、前記ロックバックル（７）を貫通する、ことを特徴とする請求項１に記載の加圧リストバンド。
【請求項４】
前記ロックバックル（７）は、柔軟布地材料で作られている、ことを特徴とする請求項３に記載の加圧リストバンド。
【請求項５】
前記補助バンド（６）が、伸縮自在式バンドとする、ことを特徴とする請求項３に記載の加圧リストバンド。
【考案の詳細な説明】
【技術分野】
【０００１】
本実用新案は、保護具の分野に関し、具体的には、加圧リストバンドに関する。
【背景技術】
【０００２】
保護具とは、運動中の怪我から体を守る道具の一つであり、例えば、ローラースケート靴のハイバスケット式設計は、足をくじきにくくなり、足首関節の超範囲の活動を制限するためのものであり、高齢者が、ピクニックや遠足を行う際に、足首関節、膝や腰を保護するための保護具を着用すべきである。保護具の種類が多く、その応用範囲も極めて広く、リストバンドが、そのうちの一種である。リストバンドとは、手首の関節を保護するための１枚の布地であり、現在の社会では、リストバンドが、基本的にスポーツ選手の必要な運動器材の一つになり、手首も人々が最もよく活動する身体部位で、最も怪我がしやすい部位の一つであり、かつ選手の手首に腱炎症が生じる機会は非常に高く、捻挫から保護するか、または手首の加速治癒を促進するために、リストバンドを着用することが好適な方法の一つである。
しかしながら、従来のリストバンドにおいて、その着用方式は、指の親指を親指口に通し、リストバンドの本体をユーザの手首に巻きつけるが、リストバンドの使用過程では、ユーザの虎口位置での手首の親指口と係合する箇所で力を受けることにより、手首ずれや移動による正常な使用に影響を与えないようにするのが一般的であるが、長時間このような着用方式を使用すると、ユーザの虎口位置が痛くなり、ユーザの着用体験に大きく影響し、実用性が悪いという問題点がある。
【考案の概要】
【考案が解決しようとする課題】
【０００３】
本実用新案は、従来のリストバンドの着用方式が、指の親指を親指口に通し、リストバンドの本体をユーザの手首に巻きつけ、リストバンドの使用過程では、ユーザの虎口位置での手首の親指口と係合する箇所で力を受けることにより、手首ずれや移動による正常な使用に影響を与えないようにするのが一般的であるが、長時間このような着用方式を使用すると、ユーザの虎口位置が痛くなり、ユーザの着用体験に大きく影響し、実用性が悪いという問題点を解決するための加圧リストバンドを提供することを目的とする。
【課題を解決するための手段】
【０００４】
上記目的を達成するために、本実用新案は、リストバンドの本体と、リストバンドのロックバンド構造と、リストバンドのフックテープとを含む加圧リストバンドであって、前記の本体は、バンドであり、前記本体の頂部には、貫通する親指口が設けられ、前記本体の外部表面は、ループテープ材料を用いて作製され、前記ロックバンド構造は、前記本体の内部及び外部表面に取り付け、前記フックテープは、前記本体の一端に固定取り付けられることを特徴とする加圧リストバンドを提供する。
【０００５】
好ましくは、前記本体の辺縁部には、第１の保護辺が縫合されて設けられ、前記親指口の内部辺縁には、第２の保護辺が縫合されて設けられる。
【０００６】
好ましくは、前記ロックバンド構造は、一端が前記本体の内部に固定接続され、他端が前記本体の辺縁部に近接した位置に固定接続された補助バンドと、前記本体の外部表面に固定取り付けられたロックバックルとを含み、前記補助バンドは、前記ロックバックルを貫通する。
【０００７】
好ましくは、前記ロックバックルは、柔軟布地材料で作られている。
【０００８】
好ましくは、前記補助バンドが、伸縮自在式バンドとする。
【考案の効果】
【０００９】
本実用新案は、以下の有益な効果を有する加圧リストバンドを提供する。
本実用新案は、ロックバンド構造を設けることにより、ユーザがリストバンドを使用する際に、親指を親指口に通し、本体を手首に巻きつけることができ、このとき、本体にフックテープが設けられた一端を引き上げ、補助バンドを移動させ、ロックバックルに合わせて本体の他端を移動させ、ユーザの手首に向けて張り合わせることができ、このとき、本体がユーザの手首へ比較的大きなロック力を加えることができ、最後に、フックテープを本体の外部表面に固定することで、ユーザの虎口が比較的大きな力を受けることを効果的に回避し、その結果としてユーザが本体を長時間着用した後の虎口の痛みを回避し、ユーザの着用体験を向上させ、実用性が高くなる。
【図面の簡単な説明】
【００１０】
【図１】本実用新案の全体構成を示す図である。
【図２】本実用新案の側面構造の概略図である。
【図３】本実用新案の平面構造の概略図である。
【図４】本実用新案のロックバックルの取付図である。
【考案を実施するための形態】
【００１１】
以下、本実用新案の実施例における技術案について、本実用新案の実施例における図面を参照して明確かつ完全に説明する。
【００１２】
図１〜図４に示すように、本実用新案は、リストバンドの本体１と、リストバンドのロックバンド構造と、リストバンドのフックテープ２とを含む加圧リストバンドであって、前記本体１は、バンドであり、前記本体１の頂部には、貫通する親指口３が設けられ、前記本体１の外部表面は、ループテープ材料を用いて作製され、前記ロックバンド構造は、前記本体１の内部及び外部表面に取り付け、前記フックテープ２は、前記本体１の一端に固定取り付けられることを特徴とする加圧リストバンドの技術案を提供する。
【００１３】
前記本体１の辺縁部には、第１の保護辺４が縫合されて設けられ、前記親指口３の内部辺縁には、第２の保護辺５が縫合されて設けられる。これにより、本体１の辺縁部と親指口３の辺縁部に破損が生じにくく、本体１の正常な使用に影響を与えないように第１の保護辺４及び第２の保護辺５を介して本体１の辺縁部および親指口３の内部辺縁部をそれぞれ保護することができる。
【００１４】
前記ロックバンド構造は、一端が前記本体１の内部に固定接続され、他端が前記本体１の辺縁部に近接した位置に固定接続された補助バンド６と、前記本体１の外部表面に固定取り付けられたロックバックル７とを含み、前記補助バンド６は、前記ロックバックル７を貫通し、これにより、ユーザがリストバンドを使用する際に、親指を親指口３に通し、本体１を手首に巻きつけることができ、このとき、本体１にフックテープ２が設けられた一端を引き上げ、補助バンド６を移動させ、補助バンド６は、ロックバックル７を貫通するため、本体１の他端を移動させ、ユーザの手首に向けて張り合わせることができ、ユーザの手首ところに比較的大きなロック力を受けたとき、フックテープ２を本体１の外部表面に固定することで、ユーザの虎口が比較的大きな力を受けることを効果的に回避可能となる。
【００１５】
ユーザの正常な着用動作に影響を与えないように、前記ロックバックル７は、柔軟布地材料で作られている。
【００１６】
前記補助バンド６は、本体１を異なるユーザに適用しやすい伸縮自在式バンドとする。また、伸縮自在式バンドを採用することで、本体１をユーザの手首に貼り合わせられることに助けをするための比較的大きな弾力を提供し、ユーザの手首ところに比較的大きな力を受けることを確保することができる。
【００１７】
動作原理：リストバンドを使用する際に、ユーザが親指を親指口３に通し、次に、本体１を手首に巻きつけ、このとき、本体１にフックテープ２が設けられた一端を引き上げ、補助バンド６を移動させ、補助バンド６は、ロックバックル７を貫通するため、本体１の他端を移動させ、ユーザの手首に向けて張り合わせることができ、ユーザの手首ところに比較的大きなロック力を受けたとき、フックテープ２を本体１の外部表面に固定することで、ユーザの虎口が比較的大きな力を受けることを効果的に回避可能となり、その結果としてユーザが本体１を長時間着用した後の虎口の痛みを回避し、ユーザの着用体験を向上させ、実用性が高くなる。
【００１８】
本実用新案の説明に使用する、方位を指示する、或いは位置と関係がある用語について、添付図面に示す方位或いは位置関係に基づくものであり、本実用新案を説明すると説明の便宜上のものであり、明示的若しくは暗示的な指示に従って、装置或いはユニットが特定の方位、特定の方位で取り組みと操作するものではない。だから、限定的に解釈されるべきではない。
【００１９】
本実用新案の説明において、明確な規定と限定がない限り、例えば、固定接続や、着脱可能な接続や、或いは一体的な接続でも可能である。機械的な接続や、電気的な接続も可能である。直接的に接続することや、その間に媒体を介して間接的に接続することや、二つの部品の内部が連通することも可能である。当業者であれば、具体的な場合に応じて上記用語の本実用新案においての具体的な意味を理解することができる。
【００２０】
以上、本実用新案の実施例を示して説明したが、当業者であれば、本実用新案の原理と主旨から逸脱することなく、本実用新案の範囲内でこれらの実施例に対してさまざまな修正、取り替え及び変形を行うことができ、本実用新案の範囲は特許請求の範囲とその等価物により限定されることを理解できる。
【符号の説明】
【００２１】
１  本体
２  フックテープ
３  親指口
４  第１の保護辺
５  第２の保護辺
６  補助バンド
７  ロックバックル
【図１】
0003232906.tif 000003
【図２】
0003232906.tif 000004
【図３】
0003232906.tif 000005
【図４】
0003232906.tif 000006